(57)【特許請求の範囲】
【請求項１】
原水を浄化した浄水を流出する浄水流出部と、原水を浄化することなく外部へ直流状で流出する原水流出部と、原水を浄化することなくシャワー状で流出するシャワー流出部材を備えたシャワー部と、原水の供給をうけ、当該原水を前記浄水流出部と前記原水流出部と前記シャワー部との何れかに供給する切替部と、を備えた浄水器用の液体流出装置において、
前記シャワー流出部材は複数の吐出孔を備え、
前記シャワー部は、
前記シャワー流出部材の流出方向に沿う軸心を備えた環状空間であって、前記環状空間の軸心方向における一方側端面が前記シャワー流出部材と連接する円環形状の第一空間と、前記軸心方向における前記第一空間の他方側端面に連接する第二空間と、を備え、
前記切替部から、前記第一空間の接線方向に向けた状態で、前記第二空間に連通する原水の供給路を備え、
前記切替部と前記供給路とが、前記軸心に直交する方向に並んで設けられている浄水器用の液体流出装置。
【請求項２】
前記第二空間は、前記第一空間と同心の環状空間として設けられ、前記第一空間の内径よりも大きな内径の内周部を備える請求項１に記載の浄水器用の液体流出装置。
【請求項３】
前記供給路は、前記第二空間の前記軸心方向で前記第一空間から離間した位置に連通する請求項１又は２に記載の浄水器用の液体流出装置。
【請求項４】
前記吐出孔は、円形の開孔を備え、前記第一空間と同心の円板面上に同一方向に向けて配列される、請求項２に記載の浄水器用の液体流出装置。
【請求項５】
前記吐出孔は、円形の開孔を備え、前記第一空間と同心の円板面上に同一方向に向けて配列される、請求項３に記載の浄水器用の液体流出装置。
【請求項６】
前記吐出孔は、前記内周部よりも小径の外径の前記円板面上に配列される、請求項４に記載の浄水器用の液体流出装置。
【請求項７】
前記第一空間の内周部が、前記浄水流出部または前記原水流出部の外周部である請求項１〜６のいずれか一項に記載の浄水器用の液体流出装置。
【請求項８】
前記浄水流出部が、前記第一空間の軸心部に位置する、請求項１〜７のいずれか一項に記載の浄水器用の液体流出装置。
【請求項９】
前記原水流出部が、前記第一空間の軸心部に位置する、請求項１〜７のいずれか一項に記載の浄水器用の液体流出装置。 
【発明の詳細な説明】
【技術分野】
【０００１】
本発明は、原水を浄化した浄水を流出する浄水流出部と、原水を浄化することなく外部へ直流状で流出する原水流出部と、原水を浄化することなくシャワー状で流出するシャワー流出部材を備えたシャワー部と、原水の供給をうけ、当該原水を浄水流出部と原水流出部とシャワー部との何れかに供給する切替部とを備えた浄水器用の液体流出装置に関する。
【背景技術】
【０００２】
特許文献１には、原水を浄化した浄水を流出する浄水流出部と、原水を浄化することなく外部へ直流状で流出する原水流出部と、原水を浄化することなくシャワー状で流出するシャワー流出部材を備えたシャワー部と、原水の供給をうけ、当該原水を前記浄水流出部と前記原水流出部と前記シャワー部との何れかに供給する切替部とを備えた浄水器用の液体流出装置が開示されている。
【０００３】
この浄水器用の液体流出装置に導入された原水は、まず切替部に流入し、さらに切替部から、切替部の下方に設けられた供給路に供給される。さらに原水は、供給路から、供給路の下方に設けられた分散板で均一に分散した後、分散板の下方に設けられたシャワー流出部材を備えた空間に流入するよう構成されている。この液体流出装置は、このように、切替部、供給路、分散板、シャワー流出部材と連接する空間、シャワー流出部材をシャワー流出部材の流出方向に積層して配置し、原水を順次通過させることでシャワー流出部材から原水を均質に流出させる工夫がなされている。
【先行技術文献】
【特許文献】
【０００４】
【特許文献１】特開２０１１−１４３３６７号公報
【発明の概要】
【発明が解決しようとする課題】
【０００５】
しかし、このような構成の液体流出装置は、切替部と、供給路と、分散板と、シャワー流出部材を備えた空間と、シャワー流出部材と、が順次積層して配置されるため、シャワーの流出方向において厚みが必要になる。したがって、シャワーの流出方向においてコンパクトな浄水器用の液体流出装置が望まれていた。
【０００６】
本発明は、上述の課題に鑑みてなされたものであり、その目的は、均質な流出状態を損なうことなく、シャワーの流出方向に対してコンパクトな液体流出装置を提供することにある。
【課題を解決するための手段】
【０００７】
上記目的を達成するための浄水器用の液体流出装置の特徴構成は、
原水を浄化した浄水を流出する浄水流出部と、原水を浄化することなく外部へ直流状で流出する原水流出部と、原水を浄化することなくシャワー状で流出するシャワー流出部材を備えたシャワー部と、原水の供給をうけ、当該原水を前記浄水流出部と前記原水流出部と前記シャワー部との何れかに供給する切替部と、を備えた浄水器用の液体流出装置において、
前記シャワー流出部材は複数の吐出孔を備え、
前記シャワー部は、
前記シャワー流出部材の流出方向に沿う軸心を備えた環状空間であって、前記環状空間の軸心方向における一方側端面が前記シャワー流出部材と連接する円環形状の第一空間と、前記軸心方向における前記第一空間の他方側端面に連接する第二空間と、を備え、
前記切替部から、前記第一空間の接線方向に向けた状態で、前記第二空間に連通する原水の供給路を備え、
前記切替部と前記供給路とが、前記軸心に直交する方向に並んで設けられている点にある。 
【０００８】
上記特徴構成によれば、供給路を切替部から第一空間の接線方向に向けた状態で設けることで、切替部とシャワー部と供給路とをおよそ同一平面上に配置して、液体流出装置を構成することができる。
このように構成する場合に、供給路を第一空間に直接連通して設けると、第一空間において供給路の近傍と、それ以外の部分において、流体の圧力や流速にばらつきが出て、シャワー部のシャワー流出部材からの流出状態が不均一になるおそれがある。
しかし、第二空間に供給路を連通し、さらに供給路を第一空間に対して接線方向に設けることで、供給路から流入した流体を、シャワー流出部材から離れた第二空間の位置から、接線方向の流速を保った状態で、第一空間に供給することができるため、シャワー部からの流出の均質さを損なうことは無い。
したがって、切替部とシャワー部と供給路とをおよそ同一平面上に配置して、シャワー流出部材の流出方向に沿う軸心方向に対する厚みを低減して、均質な流出状態を損なうことなく、コンパクトな液体流出装置を提供することができる。
なお、シャワー流出部材の流出方向とは、シャワー状で流出する原水の流出方向を平均した方向を言う。
【００１０】
更に、上記実施形態によれば、上述の通り、流体は、接線方向の流速を保った状態で、第二空間から第一空間に供給される。したがって流水は、第一空間から旋回流れを維持した状態で、吐出孔に供給される。
したがって、流水は吐出孔の向きに対して交差する流れのベクトルを維持した状態で、吐出孔に供給される。
この場合、吐出孔から流出する原水は、旋回流れの運動エネルギーを維持した状態で吐出孔からシャワー流として流出することができる。
すなわち、それぞれの吐出孔から流出する流体の吐出方向を、吐出孔の向きから一定程度同一方向にシフトして流出させる状態になり、その結果、広がりのある広角な、やわらかな手当たり感のあるシャワー流を形成することができる。
したがって、シャワーの流出方向に沿う軸心方向に対する厚みを低減しつつ、均質な流出状態を損なうことなく、旋回して拡散するシャワー流を形成できる、コンパクトな液体流出装置を提供することができる。 
【００１１】
本発明の浄水器用の液体流出装置の更なる特徴構成は、
前記第二空間は、前記第一空間と同心の環状空間として設けられ、前記第一空間の内径よりも大きな内径の内周部を備える点にある。 
【００１２】
上記特徴構成によれば、第一空間のシャワー流出部材とは他端側、すなわち第二空間で液体が、強制渦として速い流速を維持した状態で均質な旋回流を形成した後に、液体を均質に第一空間に供給することができる。したがって、シャワー部から均質に液体を吐出させることができる。
【００１３】
本発明の浄水器用の液体流出装置の更なる特徴構成は、
前記供給路は、前記第二空間の前記軸心方向で前記第一空間から離間した位置に連通する点にある。
【００１４】
上記特徴構成によれば、供給路と第二空間とが連通して流速が早い状態にある連通部を、第一空間から遠ざけることができる。その結果、供給路と第二空間との連通部を、シャワー流出部材から遠ざけることができる。したがって、供給路から供給された液体が、第二空間で安定した旋回流を形成した後に、第二空間から第一空間に旋回流を維持した状態で供給することができる。したがって、シャワー流出部材から安定して液体を吐出させることができる。
【００１５】
本発明の浄水器用の液体流出装置の更なる特徴構成は、
前記吐出孔は、円形の開孔を備え、前記第一空間と同心の円板面上に同一方向に向けて配列される点にある。
【００１６】
上記実施形態によれば、吐出孔を円板上に配列することで、第一空間の軸心方向における厚みを低減して、コンパクトな液体流出装置を提供することができる。また、流水は円形の吐出孔の向きに対して交差する流れのベクトルを維持した状態で、円形の吐出孔に供給される。そして、円形の吐出孔に供給された流水は、円形の吐出孔の壁面にまず衝突することになる。
この場合、円形の吐出孔から流出する原水は、旋回流れの運動エネルギーを維持した状態で、旋回流れの流れ方向とおよそ反転した方向で、円形の吐出孔からシャワー流として流出することができる。
すなわち、それぞれの吐出孔から流出する流体の吐出方向を、円形の吐出孔の向きから一定程度同一方向に、均質にシフトして流出させる状態になり、その結果、広がりのある広角な、やわらかな手当たり感のあるシャワー流を形成することができる。
したがって、シャワーの流出方向に沿う軸心方向に対する厚みを低減しつつ、旋回して良好に拡散するシャワー流を形成できる、コンパクトな液体流出装置を提供することができる。
【００１７】
本発明の浄水器用の液体流出装置の更なる特徴構成は、
前記吐出孔は、前記内周部よりも小径の外径の前記円板面上に配列される点にある。
【００１８】
上記実施形態によれば、第一空間の外周部から均等に吐出孔に流体を供給して、シャワー部から均質に液体を吐出させることができる。
【００１９】
本発明の浄水器用の液体流出装置の更なる特徴構成は、
前記第一空間の内周部が、前記浄水流出部または前記原水流出部の外周部である点にある。
【００２０】
上記実施形態によれば、第一空間の内周部と、浄水流出部ないし原水流出部の外周部とを供給して、コンパクトな浄水器用の液体流出装置を提供することができる。
【００２１】
本発明の浄水器用の液体流出装置の更なる特徴構成は、
前記浄水流出部が、前記第一空間の軸心部に位置する点にある。
もしくは、前記原水流出部が、前記第一空間の軸心部に位置する点にある。
【００２２】
上記実施形態によれば、浄水流出部または原水流出部を第一空間の軸心部に位置するように設けることで、コンパクトな浄水器用の液体流出装置を提供することができる。
【図面の簡単な説明】
【００２３】
【図１】浄水器用の液体流出装置の側面図
【図２】浄水器用の液体流出装置の底面図
【図３】浄水器用の液体流出装置の要部分解斜視図
【図４】浄水器用の液体流出装置の側面断面（ＩＶ面）図
【図５】浄水器用の液体流出装置の浄水流路の位置の平面断面（Ｖ面）図
【図６】液体流出装置を構成する主要部品に関する側面断面（ＶＩ面）図
【図７】浄水器用の液体流出装置のシャワー流路の位置の平面断面（ＶＩＩ面）図
【図８】シャワー部の水平断面（Ｌ１面）図
【図９】シャワー部の垂直断面（ＩＸ面）図
【図１０】シャワー部概略構成図
【図１１】シャワー部からの流出状態を説明するシャワー部の側面断面図
【発明を実施するための形態】
【００２４】
以下では本発明に係る浄水器用の液体流出装置１００について、その一例を、図を用いて説明する。
本実施形態においては、図１に示すように、原水を浄化した浄水を流出する浄水流出口１Ａを備えた浄水流出部１と、原水を浄化することなく外部へ直流状で流出する原水流出部３と、原水を浄化することなくシャワー状で流出するシャワー流出部材２Ａを備えたシャワー部２と、原水の供給をうけ、原水を浄水流出部１と原水流出部３とシャワー部２との何れかに供給する切替部ＣＳとを備えた浄水器用の液体流出装置１００であって、液体流出装置１００が水道の蛇口Ｊに取り付けて、蛇口Ｊから供給される原水を流出させる場合を例として説明する。
【００２５】
図１は、液体流出装置１００の側面図を示す。以下では、浄水器の側面図における横方向を「幅方向Ｗ」とし、縦方向を「高さ方向Ｈ」とし、紙面奥行き方向を「奥行き方向Ｄ」とする。本実施形態においては、幅方向Ｗおよび奥行き方向Ｄは水平方向と一致し、高さ方向Ｈが鉛直方向と一致するように浄水器は配置されるものとする。
【００２６】
この液体流出装置１００は、図１、２、６〜１１に示すように、シャワー部２にシャワー流出部材２Ａの流出方向に沿う軸心Ｐを備えた環状空間であって、環状空間の軸心Ｐの軸心方向の一方がシャワー流出部材２Ａと連接する第一空間Ｒ１と、第一空間Ｒ１の他方と連接する第二空間Ｒ２と、切替部ＣＳから、第一空間Ｒ１の接線方向に向けた状態で、第二空間Ｒ２に連通する供給路４と、を備えている。
本例では、軸心Ｐの軸心方向とシャワー流出部材２Ａの流出方向は同じ方向である。
【００２７】
シャワー部２は、供給された原水をシャワー状に流出させる部材である。
シャワー部２には、シャワー流出部材２Ａと、第一空間Ｒ１と、第二空間Ｒ２と、ケーシング２Ｃとが含まれる。
ここで、ケーシング２Ｃは、シャワー部２の外周部分を形成する部材である。本例では、ケーシング２Ｃは、内部に第一空間Ｒ１と、第二空間Ｒ２とを含み、シャワー流出部材２Ａを保持し、後述する浄化部７０を載置する形態に形成されている。
【００２８】
第一空間Ｒ１は、シャワー流出部材２Ａに原水を供給する空間である。
この第一空間Ｒ１は一方の端部である端面にシャワー流出部材２Ａを備えている。このシャワー流出部材２Ａは、たとえばおよそ下向きにシャワーを流出するよう設けられている。なお、本実施形態では、シャワー流出部材２Ａの流出方向が高さ方向Ｈの方向と一致する場合を示している。
第一空間Ｒ１は、シャワー流出部材２Ａの流出方向に沿い、この流出方向におよそ平行な軸心Ｐを備えた環状空間として設けられている。
この環状空間との概念には、円環状、円筒状の空間が含まれる。
【００２９】
第一空間Ｒ１は、図４、６〜１０に示すように、ケーシング２Ｃの内部空間に、軸心Ｐに沿った略円筒状空間として設けられている。そして本実施形態では、第一空間Ｒ１の円筒内に、軸心Ｐを中心軸とする浄水流出部１が配置されている。つまり、浄水流出部１は、第一空間Ｒ１の軸心部に位置して配置されている。
この第一空間Ｒ１の外周部はケーシング２Ｃで区画された円形に構成されている。
この第一空間Ｒ１の内周部は浄水流出部１の外周域に円形に構成されている。そして、本例では、第一空間Ｒ１の内周部と浄水流出部１の外周部とは壁面１Ｃとして共有されている。
つまり、第一空間Ｒ１の内部は、液体が軸心Ｐの周りを回転運動する旋回流れＦを形成可能に構成されている。つまり、第一空間Ｒ１は、環状の空間として設けられている。
【００３０】
第一空間Ｒ１について補足する。
第一空間Ｒ１は、本実施形態では、ケーシング２Ｃの内壁と、シャワー流出部材２Ａと、浄水流出部１で区画された空間内に存在する空間である。
第一空間Ｒ１は、図９に示すように、ケーシング２Ｃの内壁と、シャワー流出部材２Ａと、シャワー流出部材２Ａに対向する最もシャワー流出部材２Ａに近い位置の壁面である浄水流出部１の壁面１Ｂを含む仮想面Ｌ１とで区画された空間である。
【００３１】
第二空間Ｒ２は、図４、６〜１０に示すように、供給路４から供給される原水を一旦受け入れて、さらに第一空間Ｒ１に原水を供給する空間である。
第二空間Ｒ２は、本実施形態では第一空間Ｒ１に対して、シャワー流出部材２Ａと別の端部である端面に隣接して、その全隣接部を連通状態で設けられている。
第二空間Ｒ２は、供給路４から供給される原水が滞留したり、第二空間Ｒ２内で渦流を発生するような空間形状でなければよく、その空間形状としては環状空間が含まれる。
本例では、第二空間Ｒ２は、軸心Ｐをその軸心とする環状空間として設けられ、本実施形態では浄水流出部１を軸心Ｐに備えた略円筒状空間として設けられている。この第二空間Ｒ２の内径は、第一空間Ｒ１の内径よりも大きく構成された内周部を備える。本例では、この内周部は壁面１Ｃで形成される。なお、第二空間Ｒ２の内径、すなわちこの内周部の径としては、第二空間Ｒ２のうち、最も小径の内周部の径を第二空間Ｒ２の内径として求める。
また、第二空間Ｒ２の内部は、液体が軸心Ｐの周りを回転運動する旋回流れＦを形成可能に構成されている。本例では、第二空間Ｒ２の内部には、旋回流れＦを阻害するような突起や邪魔板などの障害物は積極的には設けない。
【００３２】
供給路４は、第二空間Ｒ２に原水を供給する供給路である。なお、この供給路４は、切替部ＣＳに連通し、切替部ＣＳから吐出孔２Ｂまで原水を導くシャワー流路Ｗ２に含まれる。
供給路４は、切替部ＣＳから、第一空間Ｒ１の接線方向に向けた状態で、さらに第二空間Ｒ２の接線方向に向けた状態で、第二空間Ｒ２に連通接続されている。
したがって、供給路４から供給される原水は、その流れのエネルギーを維持した状態で第二空間Ｒ２に供給されて、第二空間Ｒ２の空間で旋回流れＦを形成することになる。
この旋回流れＦの向きは、供給路４から供給される原水の流れの向きと同じになる。したがって、供給路４の流れ方向と同じ向きの旋回流れＦが形成されることになる。
【００３３】
第二空間Ｒ２について補足する。
第二空間Ｒ２は、本実施形態では、ケーシング２Ｃの内壁と、シャワー流出部材２Ａと、浄水流出部１で区画された空間内に存在する空間のうち、第一空間Ｒ１以外の空間である。
したがって、本実施形態では、第二空間Ｒ２の外径は、第一空間Ｒ１の外径とおよそ同一である。
【００３４】
切替部ＣＳとシャワー部２と供給路４との関係について補足する。
上述のように、供給路４は、切替部ＣＳから、第一空間Ｒ１の接線方向に向けた状態で、さらに第二空間Ｒ２の接線方向に向けた状態で、第二空間Ｒ２に連通接続されているため、切替部ＣＳとシャワー部２と供給路４とはそれぞれ、図６に示すようにおよそ同一平面上（図示せず）に配置されることになる。
【００３５】
供給路４と、第一空間Ｒ１と、第二空間Ｒ２との位置関係について補足する。
供給路４の、シャワーの流出方向における下端は、第一空間Ｒ１と第二空間Ｒ２との境目（本実施形態では壁面１Ｂが相当する）と同じか、より上流側に位置するよう設けられている。したがって、供給路４は、第二空間Ｒ２の軸心方向の側面の他方側に連通している。すなわち第一空間Ｒ１とは他端側に設けられている。
【００３６】
シャワー流出部材２Ａと、第一空間Ｒ１と、第二空間Ｒ２とについて補足する。
上述のように、原水は第二空間Ｒ２で旋回流れＦを形成しているから、第二空間Ｒ２を流れる原水は、この旋回流れを維持した状態で、第一空間Ｒ１に供給されることになる。したがって、原水は、第一空間Ｒ１の空間で旋回流れＦを形成することになる。
そのため、第一空間Ｒ１の原水は、シャワー流出部材２Ａに、旋回流れを維持した状態で供給される。なお、上記同様に、この旋回流れＦは、供給路４の流れ方向と同じ向きの旋回流れである。
【００３７】
シャワー流出部材２Ａは、原水をシャワー状の流出させるノズル部材である。
シャワー流出部材２Ａは、本実施形態では軸心Ｐと同じ中心を備えた円板状に形成されている。
【００３８】
このシャワー流出部材２Ａは、図２、３、７、９、１１に示すように複数の吐出孔２Ｂを備えたノズル部材として構成されている。
本実施形態では吐出孔２Ｂは、シャワー流出部材２Ａの面状の、第二空間Ｒ２の内径よりも小さな外径で、軸心Ｐを中心とする円板面上に配列されている。つまり、吐出孔２Ｂは、図６における、壁面１Ｃを通過する仮想線Ｌ２で囲われる範囲の内側に配列されている。
したがって、第二空間Ｒ２から供給された原水は、第一空間Ｒ１の外周部から内周側に、旋回しながら供給されて、吐出孔２Ｂより流出することになる。
なお、吐出孔２Ｂの配列方法は問わない。例えば円環状、らせん状に配列できる。また、正方格子状や千鳥格子状などに配列できる。
【００３９】
吐出孔２Ｂは、浄水流出部１や原水流出部３よりも十分に小さな開孔断面の小さな開孔部である。また、本実施形態では、吐出孔２Ｂは、浄水流出部１や原水流出部３よりも小径の開孔部として設けられている。
【００４０】
吐出孔２Ｂは、本実施形態では、円形の開孔部とされている。
吐出孔２Ｂはさらに、その開孔方向が軸心Ｐと平行に設けられた略円筒状の開孔部として設けられている。また、この略円筒状の開孔部は、上流側から流出側に向けて漸次縮径していく円錐形状の要素を含む略円柱形状に形成されている。
このように上流側よりも流出側（出口側）をやや縮径することで、原水が流出する場合に吐出孔２Ｂに適度な圧力損失を与えて、原水の流出量が大きい場合にも、原水の流出量が小さい場合にも、原水がシャワー流出部材２Ａの面にたれる現象を抑制し、幅広い流量範囲でシャワー状態で原水を流出可能となる。
【００４１】
吐出孔２Ｂと第一空間Ｒ１との関係を補足する。
上述の通り、第一空間Ｒ１からは、図１１に示すように、吐出孔２Ｂを備えるシャワー流出部材２Ａに対し、原水は旋回流れを維持した状態で、供給される。したがって、原水は吐出孔２Ｂの軸心方向に対して直交して交差する流れのベクトルを大きく維持した状態で、吐出孔２Ｂに供給される。
したがって、吐出孔２Ｂから流出する原水は、旋回流れＦの方向の流れの運動エネルギーを維持した状態で吐出孔２Ｂからシャワー流として流出する。すなわち、図１１に示すように、旋回流れＦの旋回方向の流れベクトルを、吐出孔２Ｂの内壁で反射して転換し、旋回流れＦの方向の流れベクトルとはおよそ逆向きのベクトルを維持した状態で吐出孔２Ｂから軸心Ｐに対して角度αのシャワー流として流出する。
【００４２】
したがって、本実施形態では、各々の吐出孔２Ｂから流出する流体の吐出方向を、吐出孔２Ｂの向きから一定程度同一方向にシフトして流出させる状態になる。具体的には、各々の吐出孔２Ｂから第一空間Ｒ１内の旋回流れＦの方向とは逆向きに、原水が流出することになる。
つまり、シャワー流出部材２Ａは、第一空間Ｒ１内の旋回流れＦの方向とは逆方向の旋回流で流出する旋回シャワー状にシャワーを形成するのである。このシャワー流は、広がりのある広角な、やわらかな手当たり感のあるシャワー流となる。
【００４３】
切替部ＣＳは、図５、７に示すように、原水の流れを、浄水流出部１と、シャワー流路Ｗ２と、原水流路Ｗ３とに任意に切り替える部材である。したがって、切替部ＣＳの切り替えにより、浄水流出部１と、シャワー流出部材２Ａと、原水流出部３と、を切り替えて使用することができる。
【００４４】
吐出孔２Ｂについて補足する。
吐出孔２Ｂの開孔径（直径）は、通常用いられる範囲で構成することができる。しかし、吐出孔２Ｂの開孔径はおよそ２００μｍから１０００μｍ程度とすることが好ましい。大きすぎると、シャワー流出部材２Ａで片流れを起こしたり、きれいなシャワー流を形成できなくなったりするため好ましくない。また、大きすぎると、広がりのある広角な、やわらかな手当たり感のあるシャワー流を得られない場合がある。吐出孔２Ｂの開孔径を上記範囲とすることで、広がりのある広角な、やわらかな手当たり感のあるシャワー流を得ることができる。
【００４５】
吐出孔２Ｂは、その上流側の開孔径を、流出側（出口側）の開孔径の１．１倍〜１．５倍程度とすることが好ましい。しかし、上流側の開孔径を、流出側（出口側）に対して大きくしすぎると、広がりのある広角な、やわらかな手当たり感のあるシャワー流を得られない場合がある。開孔径の比率を上記範囲とすることで、広がりのある広角な、やわらかな手当たり感のあるシャワー流を得ることができる。
【００４６】
吐出孔２Ｂの長さは、およそ２００μｍから１０００μｍ程度とすることが好ましい。ただし、長すぎると、広がりのある広角な、やわらかな手当たり感のあるシャワー流を得られない場合がある。吐出孔２Ｂの長さを上記範囲とすることで、広がりのある広角な、やわらかな手当たり感のあるシャワー流を得ることができる。
【００４７】
切替部ＣＳは、その上流側が流入口６２に連通し、下流側が流入口６２に連通している。
切替部ＣＳには、弁室６１と、弁体６５と、弾性付勢手段６８とが含まれる。
切替部ＣＳは、図３〜７に示すように、弁室６１に１つの流入口６２と複数の流出口６３が設けられ、複数の流出口６３のそれぞれに、弁室６１内に位置して流出口６３を開閉自在な弁体６５とが設けられる。図１および図４に示すように、流入口６２は、原水（水道水）が流入する開口であって、弁室６１の上部に設けられる。水栓取付リング４１を介して、流入口６２は水道水の蛇口Ｊに接続される。
【００４８】
図３、５、７に示すように、流出口６３は、本実施形態において３つ備えられる。具体的には、原水を浄化部７０に通流させて浄水として吐出するための浄水弁部６３Ａ、原水を外部へ直流状で吐出するための原水弁部６３Ｂ、および原水をシャワー状にして吐出するためのシャワー弁部６３Ｃの３つを備え、流入口６２はこれらの流出口６３それぞれに連通接続される。
【００４９】
浄水弁部６３Ａ、原水弁部６３Ｂ、シャワー弁部６３Ｃについて補足する。
浄水弁部６３Ａの流出口６３は、浄化部７０を経て浄水流出部１に連通する浄水流路Ｗ１に原水を供給可能に接続されている。
原水弁部６３Ｂの流出口６３は、原水流出部３に連通する原水流路Ｗ３に原水を供給可能に接続されている。
シャワー弁部６３Ｃの流出口６３は、シャワー流出部材２Ａに連通するシャワー流路Ｗ２に原水を供給可能に接続されている。
【００５０】
図３に示す押さえ部材４６は、流入口６２の下方に設けられ、弁室６１内に３つの小弁室を形成し、各小弁室に弾性付勢手段６８と弁体６５とが備えられる。押さえ部材４６は上部に貫通孔を備え、流入口６２から流入した原水を弁室６１内に通流可能に構成される。
【００５１】
弁体６５は、流入口６２と流出口６３とを連通状態と非連通状態とに切り替える弁部材である。
弁体６５は、流入口６２から流入した流体が通流不能なように流出口６３を閉めた状態（閉状態）と、流体が通流可能なように流出口６３を開いた状態（開状態）と、を切替自在に構成される。
弁体６５は、各流出口６３と対となるように設けられる。弁体６５は、弾性付勢手段６８であるスプリングによって、通常時、流出口６３を閉じる（ノーマルクローズとなる）ように流出口６３側に押圧され付勢されている。
【００５２】
弁体６５は、本実施形態では、図３、５、７に示すように、弁体６５として、ボール状部材が用いられる。このボール状部材は、例えばステンレスなどの金属材料、フッ素樹脂などの樹脂材料、シリコンゴムなどのゴム状材料を用いることができる。
【００５３】
各流出口６３に連なる原水側流路６９内のそれぞれには、弁体６５を押圧して、流出口６３を開状態とする弁体押圧位置と、弁体６５を押圧せずに流出口６３を閉状態とする弁体非押圧位置とに移動自在に保持された押し部材１０が設けられている。
【００５４】
押し部材１０としては、具体的には、直線状に形成された原水側流路６９内に流路方向に沿って移動自在に保持された棒状のプッシュロッドが用いられる。
押し部材１０も、弁体６５と同様に、各流出口６３と対になるように設けられる。すなわち、本実施形態においては、各流出口６３に、弁体６５および押し部材１０が１つずつ設けられる。
【００５５】
切替部ＣＳの切り替えは、本実施形態では図４、６に示すように移動操作手段５１を操作することで行える。
この移動操作手段５１には、回転表示手段５２、把持部５３、小窓５４が含まれる。
移動操作手段５１は、利用者が軸部材１１に連結された把持部５３を用いることで軸部材１１を回動操作可能に構成される。
【００５６】
移動操作手段５１による切替部ＣＳの切り替えに係る構造および動作について補足する。
切替部ＣＳには、弾性付勢手段６８による弾性付勢力に抗して複数の弁体６５のうち１つの弁体６５が対応する原水側流路６９を開状態とし、他の（２つの）弁体６５が対応する原水側流路６９が閉状態となるように、各弁体６５を移動させるためのカム部１１Ａを各弁体６５のそれぞれに対応して備えた軸部材１１からなる移動操作手段５１が備えられる。
移動操作手段５１は、具体的には、軸部材１１の軸心１１ａ周りでの回転角度によって、カム部１１Ａが複数の押し部材１０のうちのいずれかに択一的に当接し、カム部１１Ａに当接した押し部材１０が弁体押圧位置に移動することで弁体６５を開状態とするように構成される。より詳しくは、カム部１１Ａは、軸部材１１の軸心１１ａ周りに、それぞれ位相が異なるように設けられる。
なお、軸部材１１は、図３に示すように、固定支持部材４８を介してケーシング６６の下面に回転自在に支持される。軸部材１１は、軸心１１ａが水平方向となるように設けられる。
【００５７】
軸部材１１と、押し部材１０と、弁体６５と、弾性付勢手段６８との関係を補足する。
図６に示すように、軸部材１１と、押し部材１０と、弁体６５と、弾性付勢手段６８とは、およそ同一平面上に配列されている。
したがって、シャワー部２と、第二空間Ｒ２と、供給路４と、軸部材１１と、押し部材１０と、弁体６５と、弾性付勢手段６８とは、およそ同一平面上に配列されているのである。
このように配列することで、液体流出装置１００を、切替部ＣＳや移動操作手段５１を含めて、シャワーの流出方向に対してコンパクトにすることができる。
【００５８】
また、これらシャワー部２と、第二空間Ｒ２と、供給路４と、軸部材１１と、押し部材１０と、弁体６５と、弾性付勢手段６８とは、軸部材１１の幅方向Ｗの一方側にそれぞれ順に、軸部材１１、押し部材１０、弁体６５、弾性付勢手段６８、供給路４、第二空間Ｒ２、シャワー部２の順序で配置される。
このように配列することで、液体流出装置１００を、切替部ＣＳや移動操作手段５１を含めて、シャワーの流出方向に対してコンパクトにすることができる。
【００５９】
複数の押し部材１０は、高さ方向Ｈにおいて同じ位置に、水平方向において互いに平行となるように、並列配置される。移動操作手段５１の軸部材１１は、各押し部材１０の軸心に対して水平面上において直交するように、各押し部材１０から離れた位置に配置されている。
【００６０】
回転表示手段５２は、切替部ＣＳの原水の流れが、浄水流出部１と、シャワー流路Ｗ２と、原水流路Ｗ３とのいずれを使用する状態に設定されているかを表示する表示部である。
回転表示手段５２は、本実施形態では、筒状に形成され、軸部材１１の回動に応じて回転し、移動操作手段５１により弁体６５が開状態となった流出口６３を示す流出口情報ｉを表示するよう構成されている。
回転表示手段５２は、より具体的には、図３、４に示すように中空で、一部異径の円錐台状に形成された表示部２１を備える。
【００６１】
表示部２１の外周面には、流出口情報ｉとして「浄水」、「原水」、および「シャワー」の文字が表示される。
「浄水」、「原水」、および「シャワー」のそれぞれは、流入口６２から流入した原水が浄水弁部６３Ａから流出して浄水流出部１を使用する状態、原水弁部６３Ｂから流出して原水流路Ｗ３を使用する状態、およびシャワー弁部６３Ｃから流出してシャワー流路Ｗ２を使用する状態のそれぞれを示す。
なお、これらの文字は、表示部２１に刻印、または文字を印刷したシールが貼られること等により利用者が視認可能な形態で表示される。
【００６２】
本実施形態においては、図４に示すように、回転表示手段５２を収納するケーシング６６の高さ方向Ｈの上面に小窓５４が設けられ、当該小窓５４を介して、利用者が高さ方向Ｈ上方から、回転表示手段５２を覗き見ることで、回転表示手段５２の表示部２１に表示された流出口情報ｉを視認可能に構成される。小窓５４はプラスチックなどの透明部材からなる板状部材で、回転表示手段５２の表示部２１の鉛直方向上端Ｔと平行となるように設けられる。小窓５４を介して視認可能な流出口情報ｉは、利用者の把持部５３の操作による軸部材１１の回動に応じて、表示部２１が回転することで切り替わる。
【００６３】
切替部ＣＳは、幅方向Ｗの一方向に設けられた把持部５３を用いて軸部材１１を回動操作すると、回転表示手段５２が軸部材１１の軸心１１ａに対して直交する軸を中心として回転するように構成される。すなわち、軸部材１１の回転方向と、回転表示手段５２の回転方向とが異なるように構成される。
幅方向Ｗでレバー３１と軸部材１１との間には中空部３２が形成される。回転表示手段５２は、把持部５３の中空部３２に配置される。
【００６４】
浄化部７０は、原水を浄化する部材である。本実施形態では、原水を浄化する濾過カートリッジを内蔵した円筒状の部材で、切替部ＣＳの幅方向Ｗの一方側に配置される。浄化部７０は、ケーシング２Ｃに載置され、ケーシング６６の側面から挿脱可能に構成された浄化部着脱部材４７を介して、弁室６１と連通する浄水流路Ｗ１と通流可能に接続される。浄化部着脱部材４７を備えることで、浄化部７０を弁室６１から容易に取り外すことができ、浄化部７０や切替部ＣＳのメンテナンスが行い易くなっている。
【００６５】
〔別実施形態〕
本発明は、前述した実施形態に限定されるわけでなく、その他種々の変更が可能である。変更の例として、以下に本発明の別実施形態について説明する。なお、以下の各実施形態の構成は、それぞれ単独で適用されるものに限られず、矛盾が生じない限り、他の実施形態の構成と組み合わせて適用することも可能である。
【００６６】
（１）上述の実施形態では、浄水流出部１が、第一空間Ｒ１の軸心部に位置するよう配置した場合を示したが本願発明はこの構成に限られない。浄水流出部１の代わりに、原水流出部３を配置して備えてもよい。
【００６７】
（２）上述の実施形態では、第二空間Ｒ２の外径は、第一空間Ｒ１の外径とおよそ同一とした例を示したが本願発明はこの構成に限られない。第二空間Ｒ２の外径を、第一空間Ｒ１の外径よりも大きくしてもよい。
このように構成すると、第二空間Ｒ２でより均質化された状態で、第一空間Ｒ１に原水を供給できるため、シャワー部２から均質に液体を吐出させることができる。
【産業上の利用可能性】
【００６８】
原水を浄化した浄水を流出する浄水流出部と、原水を浄化することなく外部へ直流状で流出する原水流出部と、原水を浄化することなくシャワー状で流出するシャワー部と、を切り替え自在の切替部とを備えた浄水器用の、シャワーの流出方向に対してコンパクトな液体流出装置として、有効に利用可能である。
【符号の説明】
【００６９】
１        ：浄水流出部
２        ：シャワー部
２Ａ      ：シャワー流出部材
２Ｂ      ：吐出孔
３        ：原水流出部
４        ：供給路
６３      ：流出口
１００    ：液体流出装置
ＣＳ      ：切替部
Ｐ        ：軸心
Ｒ１      ：第一空間
Ｒ２      ：第二空間
【図１】
0006665002.tif 000002
【図２】
0006665002.tif 000003
【図３】
0006665002.tif 000004
【図４】
0006665002.tif 000005
【図５】
0006665002.tif 000006
【図６】
0006665002.tif 000007
【図７】
0006665002.tif 000008
【図８】
0006665002.tif 000009
【図９】
0006665002.tif 000010
【図１０】
0006665002.tif 000011
【図１１】
0006665002.tif 000012